(57)【特許請求の範囲】
【請求項１】
主折り線においてつながり，上記主折り線に沿う境界において折れ曲がる第１パネルと第２パネルを含み，第１パネルと第２パネルの上記境界上に上記主折り線が形成されていない主折り線未形成箇所が所定長さにわたって存在し，上記主折り線の端に交わりかつ第１パネルと第２パネルの上記境界と交差する切込みまたは開口が上記第１パネル上および上記第２パネル上に連続して形成されており，上記第１パネルおよび上記第２パネルの少なくともいずれか一方を主折り線に沿って折ることに伴って外方に起立する，上記切込みまたは開口の縁部を縁部とする突起部を有している折構造体，
上記折構造体の外方に設けられ，外方に起立した上記突起部が係合する縁部を有するロック受けパネル，および
上記折構造体の内方に設けられ，上記突起部を内方から支える突起部落込み防止部材を備える，
折構造体のロック機構。
【請求項２】
上記突起部上に，上記主折り線に沿う方向に延びる第１の副折り線が，上記主折り線と位置をずらして形成されている，
請求項１に記載の折構造体のロック機構。
【請求項３】
上記第１パネルおよび第２パネルの少なくともいずれか一方に，上記切込みまたは開口の先端に交わる第２の副折り線が形成されている，請求項２に記載の折構造体のロック機構。
【請求項４】
上記ロック受けパネルにロック窓があけられており，上記外方に突出した上記突起部は上記ロック窓の縁部に係合する，請求項１から３のいずれか一項に記載の折構造体のロック機構。
【請求項５】
上記折構造体が箱状であり，
上記ロック受けパネルが，上記箱状折構造体の少なくとも一部がスライド自在に挿入される外箱の面部のうちの，上記箱状折構造体の上記突起部が起立する面部を臨む面部であり，
上記突起部落込み防止部材が，上記箱状折構造体の面部のうちの，上記箱状折構造体の上記突起部が起立する面部を臨む面部である，
請求項１から４のいずれか一項に記載の折構造体のロック機構。
【請求項６】
上記折構造体が筒状であり，
上記ロック受けパネルが，上記筒状折構造体の少なくとも一部がスライド自在に挿入される筒状体の面部のうちの，上記筒状折構造体の上記突起部が起立する面部を臨む面部であり，
上記突起部落込み防止部材が，上記筒状折構造体の面部のうちの，上記筒状折構造体の上記突起部が起立する面部を臨む面部である，
請求項１から４のいずれか一項に記載の折構造体のロック機構。
【請求項７】
上記折構造体が，側面部の両端につながる平面部を互いに折り重ね合わせたパッケージ体であり，
上記ロック受けパネルが，上記パッケージ折構造体の少なくとも一部がスライド自在に挿入される筒状体の面部のうちの，上記箱状折構造体の上記突起部が起立する面部を臨む面部であり，
上記突起部落込み防止部材が上記パッケージ体を構成する平面部の端部である，
請求項１から４のいずれか一項に記載の折構造体のロック機構。
【請求項８】
上記折構造体の上記スライド方向にそってのびる辺に上記突起部が起立する方向と異なる向きに突出する係止片が形成されており，
上記ロック受けパネルを有する筒状体には，上記係止片が形成されている折構造体の辺に対応する辺に上記係止片が通る切込みが上記スライド方向に入れられている，
請求項５から７のいずれか一項に記載の折構造体のロック機構。
【請求項９】
上記折構造体の上記スライド方向にそってのびる辺に上記突起部が起立する方向と異なる向きに突出する係止片が形成されており，
上記係止片もロック受けパネルの縁部に係合する，
請求項５から７のいずれか一項に記載の折構造体のロック機構。
【発明の詳細な説明】
【技術分野】
【０００１】
この発明は折構造体のロック機構に関する。
【背景技術】
【０００２】
外箱内に収容された内箱をスライド移動させて，内箱の外箱内からの出し入れを繰り返すことができるスライド・カートンが知られている（たとえば，特許文献１）。
【０００３】
特許文献１では，振動等によって外筒状体（外箱）内に収容された紙箱本体（内箱）が移動したり，抜け落ちたりするのを防止するために，紙箱本体の移動方向の両端部のそれぞれに垂直に突起を設け，この突起によって外筒状体の移動方向の両端縁を外側からそれぞれ挟んで係合することで，紙箱本体を外筒状体内にとどめている。紙箱本体をスライドさせて外筒状体内から取出すには紙箱本体の突起を強制的に折り曲げる必要があるので，紙箱本体の引出し時に比較的大きな力が必要となる。
【先行技術文献】
【特許文献】
【０００４】
【特許文献１】特開平９−２８６４３１号公報
【発明の開示】
【０００５】
この発明は，２つの部材を堅牢に係合することができ，かつその係合を小さい力で外すことができるロック機構を提供することを目的とする。
【０００６】
またこの発明は，折構造体の組立て（折曲げ）に伴って（同時に），折構造体の一部を起立させることを目的とする。
【０００７】
この発明による折構造体のロック機構は，主折り線においてつながり，上記主折り線に沿う境界において折れ曲がる第１パネルと第２パネルを含み，第１パネルと第２パネルの上記境界上に上記主折り線が形成されていない主折り線未形成箇所が所定長さにわたって存在し，上記主折り線の端に交わりかつ第１パネルと第２パネルの上記境界と交差する切込みまたは開口が上記第１パネルおよび上記第２パネルに連続して形成されており，上記第１パネルおよび上記第２パネルが，上記切込みまたは開口の縁部を縁部とする外方に起立可能な突起部を有している折構造体，上記折構造体の外方に設けられ，外方に起立した上記突起部が係合する縁部を有するロック受けパネル，および上記折構造体の内方に設けられ，上記突起部を内方から支える突起部落込み防止部材を備えている。
【０００８】
折構造体を構成する第１パネルまたは第２パネルはその境界上の主折り線に沿って折曲がりやすくなっている。主折り線は第１パネルと第２パネルの間の境界の全体に（一方の縁から他方の縁にかけて連続して）形成されていず，主折り線が形成されていない箇所，すなわち主折り線未形成箇所が所定長さにわたって存在する。
【０００９】
上記主折り線の端に交わり（接し）かつ第１パネルと第２パネルの上記境界と交差する切込みまたは開口が，上記第１パネル上および上記第２パネル上に連続して形成されている。切込みまたは開口は，第１パネルと第２パネルの境界と垂直に交差していても，斜めに交差していてもよい。いずれもしても，切込みまたは開口は第１パネルと第２パネルの境界と交差するので，切込みまたは開口の一端は第１パネル上に，他端は第２パネル上に位置する。
【００１０】
第１パネルまたは第２パネルはその境界上の主折り線に沿って折曲げられるが，主折り線未形成箇所では主折り線の延長線上よりも切込みまたは開口の先端の位置で曲がりやすい。第１パネルおよび上記第２パネルが主折り線に沿って折曲げられると，主折り線未形成箇所では切込みまたは開口の先端の位置で曲がり，上記切込みまたは開口の縁部を縁部とする突起部が外方に起立する。折構造体の内方では突起部落込み防止部材によって突起部が支えられているので，突起部が意に反して内方に起立することはない。突起部落込み防止部材は突起部が内方に起立することを防止するように折構造体の内方に配置されていればよく，パネルの面部を突起部落込み防止部材として用いても，パネルの縁を突起部落込み防止部材として用いてもよい。
【００１１】
折構造体の外方（突起部が起立する向き）に，外方に突出した突起部が係合する縁部を有するロック受けパネルが設けられている。折構造体の突起部がロック受けパネルの縁部に係合することによって，ロック受けパネルに対する折構造体の移動がロックされる。
【００１２】
折構造体の突起部は，主折り線に沿って第１パネルまたは第２パネルを折曲げると（折構造体を組立てると）外方に起立する。すなわち，折構造体の組立て（折曲げ）に伴って（同時に），折構造体の突起部を外方に起立させることができ，突起部を立上げるための特有の所作ないし作業を必ずしも必要としない。外方に起立する突起部を持つ折構造体を簡単に得ることができる。突起部を指で押下げれば突起部の起立（立上り）の程度は解消ないし軽減し，ロック受けパネルの縁部との係合を外すことができる。小さい力でロックを解除することができる。
【００１３】
一実施態様では，上記突起部上に，上記主折り線に沿う方向に延びる第１の副折り線が，上記主折り線と位置をずらして形成されている。上記第１の副折り線は，主折り線と好ましくは平行であるが，必ずしも平行でなくてもよく主折り線に対して斜めであってもよい。いずれもしても，第１の副折り線を突起部上に形成しておくことで上記突起部を副折り線に沿って折曲がりやすくすることができ，突出部の起立の程度を大きくすることができる。第１の副折り線は主折り線と位置をずらして形成されているので，第１パネル上または第２パネル上に上記突起部の頂上を位置させることができる。
【００１４】
好ましくは，上記第１パネルおよび第２パネルの少なくともいずれか一方において，上記切込みまたは開口の先端に交わる（接する）第２の副折り線が形成されている。第２の副折り線は，主折り線と好ましくは平行であるが，必ずしも平行でなくてもよく主折り線に対して斜めであってもよい。第２の副折り線を出発にして突起部を起立させることができ，上記第１パネル上または第２パネル上の突起部の立上りを高くすることができる。
【００１５】
上記ロック受けパネルは，その縁部が上記折構造体の突起部が係合する縁部であってもよいし，ロック受けパネルにあけられたロック窓の縁部に上記折構造体の突起部を係合させてもよい。
【００１６】
上述したロック機構は，様々なタイプの容器，カートン，パッケージ等に利用することができる。
【００１７】
一実施態様では，上記折構造体が箱状であり，上記ロック受けパネルが上記箱状折構造体の少なくとも一部がスライド自在に挿入される筒状体の面部のうちの，上記箱状折構造体の上記突起部が起立する面部を臨む（面する）面部であり，上記突起部落込み防止部材が，上記箱状折構造体の面部のうちの，上記箱状折構造体の上記突起部が起立する面部を臨む（面する）面部である。箱状折構造体（内箱）と箱状内構造体が挿入される筒状体（外箱）とが解除可能にロックされる。箱状折構造体（内箱）は多角柱状ないし円柱状とすることができる。また箱状折り構造体（内箱）は内部空間をほぼ完全に仕切るタイプのものであっても，一部の面部が開口しているタイプ（トレー・タイプ）のものであってもよい。筒状体（外箱）は箱状折構造体（内箱）に対応する形状であるのは言うまでもない。筒状体（外箱）は上記箱状折構造体が挿入される開口があればよく，その反対側は開口していても閉じていてもよい。筒状体（外箱）は，スライド方向の面部以外の面部の全体を覆うものであってもよいし，その一部を覆うもの（蓋体ないし帯体）であってもよい。
【００１８】
他の実施態様では，上記折構造体が筒状（たとえば，外方に弧状に膨らむ２つの面部の両側が固定された形状）であり，上記ロック受けパネルが，上記筒状折構造体の少なくとも一部がスライド自在に挿入される筒状体の面部のうちの，上記箱状折構造体の上記突起部が起立する面部を臨む（面する）面部であり，上記突起部落込み防止部材が，上記筒状折構造体の面部のうちの，上記筒状折構造体の上記突起部が起立する面部を臨む面部である。一方が他方に挿入される二つの筒状体同士が解除可能にロックされる。
【００１９】
さらに他の実施態様では，上記折構造体が，側面部の両端につながる平面部を互いに折り重ね合わせたパッケージ体であり，上記ロック受けパネルが，上記パッケージ折構造体の少なくとも一部がスライド自在に挿入される筒状体の面部のうちの，上記箱状折構造体の上記突起部が起立する面部を臨む面部であり，上記突起部落込み防止部材が上記パッケージ体を構成する平面部の端部である。パッケージ体と筒状体とが解除可能にロックされる。
【００２０】
好ましい実施態様では，上記折構造体の上記スライド方向に沿ってのびる辺に上記突起部が起立する方向と異なる向きに突出する係止片が形成されており，上記ロック受けパネルを有する筒状体には，上記係止片が形成されている折構造体の辺に対応する辺に上記係止片が通る切込みが上記スライド方向に入れられている。折構造体の係止片と筒状体に入れられた切込みとによって折構造体の移動長を規定することができ，たとえば折構造体の筒状体からの抜落ちを防止することができる。
【００２１】
上記突起部が起立する方向と異なる向きに突出する係止片を，上記ロック受けパネルの縁部に係合させることによって，折構造体の筒状体からの抜落ちを防止するようにしてもよい。
【図面の簡単な説明】
【００２２】
【図１】ロック機構の基本構成１を示すもので，内面体の展開図である。
【図２】ロック機構の基本構成１を示すもので，外面体の正面図である。
【図３】基本構成１のロック機構の組立ての様子を示す斜視図である。
【図４】基本構成１のロック機構の組立ての様子を示す斜視図である。
【図５】基本構成２のロック機構の組立ての様子を示す斜視図である。
【図６】基本構成２のロック機構の組立ての様子を示す斜視図である。
【図７】ロック機構の基本構成３を示すもので，内面体の展開図である。
【図８】ロック機構の基本構成３を示すもので，外面体の展開図である。
【図９】基本構成３のロック機構の組立ての様子を示す斜視図である。
【図１０】基本構成３のロック機構の組立ての様子を示す斜視図である。
【図１１】ロック機構の基本構成４を示すもので，内面体の展開図である。
【図１２】基本構成４のロック機構の組立ての様子を示す斜視図である。
【図１３】基本構成４のロック機構の組立ての様子を示す斜視図である。
【図１４】ロック機構の基本構成５を示すもので，内面体の展開図である。
【図１５】基本構成５のロック機構の組立ての様子を示す斜視図である。
【図１６】基本構成５のロック機構の組立ての様子を示す斜視図である。
【図１７】第１実施例を示すもので，内箱の展開図である。
【図１８】第１実施例を示すもので，外箱の展開図である。
【図１９】組立て途中の内箱の斜視図である。
【図２０】組立て途中の内箱の斜視図である。
【図２１】組立てが完成した内箱および外箱の斜視図である。
【図２２】外箱から内箱を引出している様子を示す斜視図である。
【図２３】内箱の変形例の斜視図である。
【図２４】内箱の変形例の斜視図である。
【図２５】内箱の他の変形例の斜視図である。
【図２６】内箱の他の変形例の斜視図である。
【図２７】内箱のさらに他の変形例の斜視図である。
【図２８】内箱のさらに他の変形例の斜視図である。
【図２９】内箱のさらに他の変形例の斜視図である。
【図３０】内箱のさらに他の変形例の斜視図である。
【図３１】第２実施例を示すもので，内箱の展開図である。
【図３２】第２実施例を示すもので，外箱の展開図である。
【図３３】組立てが完成した内箱および外箱の斜視図である。
【図３４】組立てが完成した内箱および外箱の斜視図である。
【図３５】第３実施例を示すもので，内箱の展開図である。
【図３６】第３実施例を示すもので，外箱の展開図である。
【図３７】組立てが完成した内箱および外箱を示す斜視図である。
【図３８】外箱から内箱を引き出している様子を示す斜視図である。
【図３９】第４実施例を示すもので，内箱の展開図である。
【図４０】第４実施例を示すもので，外箱の展開図である。
【図４１】組立て（挿入）途中の外箱と内箱とを示す斜視図である。
【図４２】組立てが完成した内箱および外箱を示す斜視図である。
【図４３】第５実施例を示すもので，内箱の展開図である。
【図４４】第５実施例を示すもので，外箱の展開図である。
【図４５】内箱および外箱を示す斜視図である。
【図４６】外箱内に内箱を収納した状態を示す斜視図である。
【図４７】第６実施例を示すもので，ＰＴＰホルダ・パッケージの展開図である。
【図４８】第６実施例を示すもので，外帯の展開図である。
【図４９】組立てが完成したＰＴＰホルダ・パッケージおよび外帯を示す斜視図である。
【図５０】ＰＴＰホルダ・パッケージに外帯をかけた様子を示す斜視図である。
【図５１】第７実施例を示すもので，内箱の展開図である。
【図５２】第７実施例を示すもので，外箱の展開図である。
【図５３】内箱の組立ての様子を示す斜視図である。
【図５４】スライド・カートンの組立ての様子を示す斜視図である。
【図５５】スライド・カートンの組立ての様子を示す斜視図である。
【図５６】スライド・カートンの組立ての様子を示す一部拡大斜視図である。
【図５７】スライド・カートンの組立ての様子を示す一部拡大斜視図である。
【図５８】第８実施例を示すもので，内箱の展開図である。
【図５９】第８実施例を示すもので，内箱の展開図である。
【図６０】スライド・カートンの組立ての様子を示す斜視図である。
【図６１】スライド・カートンの組立ての様子を示す斜視図である。
【図６２】スライド・カートンの組立ての様子を示す斜視図である。
【図６３】スライド・カートンの一部拡大斜視図である。
【図６４】スライド・カートンの斜視図である。
【図６５】外箱から内箱を引き出している様子を示す斜視図である。
【実施例】
【００２３】
ロック機構の基本構成１（図１〜図４）
図１から図４はロック機構の基本構成１を示すもので，図１はロック機構を構成する内面体（折構造体）１の展開図を，図２はロック機構を構成する外面体２（ロック受けパネルＰ４）の正面図をそれぞれ示す。図３および図４はロック機構の組立ての様子を示す斜視図である。内面体１，外面体２および後述する支持面体（突起部落込み防止部材）Ｐ３は，いずれも厚紙，ボール紙，プラスチック・シート等のシート状素材から構成される。
【００２４】
図１を参照して，内面体１には，下縁から上縁に向けてその途中まで延びる１本の折り線Ｌ１（一点鎖線で示す）が入れられている。この折り線Ｌ１は，後述する説明で明らかになるように折曲げ後（組立て後）の内面体１の形状を形付けるためのものであり，以下，主折り線Ｌ１と呼ぶ。また，主折り線Ｌ１に沿って延びる境界において，内面体１は左右に区分される。２つの領域Ｐ１，Ｐ２うち，一方の領域Ｐ１は後述する突起部ａの起立を支持する機能を果たす。他方の領域Ｐ２は突起部ａが起立する領域（面部）となる。以下，２つの領域Ｐ１，Ｐ２を，それぞれ支持パネルＰ１およびロックパネルＰ２と呼ぶ。
【００２５】
主折り線Ｌ１の上端に交わって（接して），主折り線Ｌ１に垂直（横方向）に切込みｃが入れられている。切込みｃの一端（左端）は主折り線Ｌ１に近い支持パネルＰ１上に位置する。切込みｃの他端（右端）はロックパネルＰ２上の中央よりもやや右側に位置する。
【００２６】
切込みｃから内面体１の上端にかけて，３本の折り線（ミシン目）Ｌ２，Ｌ３，Ｌ４（破線で示す）が縦方向に入れられている。この３本の折り線Ｌ２，Ｌ３，Ｌ４は，折曲げ後の内面体１の形状を形付けるためではなく，後述する突起部ａを形付けるために入れられている。上述した折曲げ後の内面体１を形付けるための主折り線Ｌ１と区別するために，突起部ａを形付ける折り線Ｌ２，Ｌ３，Ｌ４を，以下副折り線Ｌ２，Ｌ３，Ｌ４と呼ぶ。
【００２７】
副折り線Ｌ２は切込みｃの左端と内面体１の上端を結び，支持パネルＰ１上に位置している。副折り線Ｌ４は切込みｃの右端と内面体１の上端を結び，ロックパネルＰ２上に位置している。副折り線Ｌ３は副折り線Ｌ２，Ｌ４の間にあり，ロックパネルＰ２上に位置している。副折り線Ｌ２と副折り線Ｌ３は，主折り線Ｌ１を挟むように，主折り線Ｌ１からそれぞれ左右に位置ずれして形成されている。
【００２８】
図３を参照して，内面体１のロックパネルＰ２の内側に沿って平行に矩形の支持面体Ｐ３が配置（固定）される。支持面体Ｐ３を配置した後，内面体１（支持パネルＰ１およびロックパネルＰ２のいずれか）を主折り線Ｌ１に沿って内側にほぼ垂直に折曲げ，支持パネルＰ１とロックパネルＰ２とがなす角度をほぼ９０度にする。すると，３本の副折り線Ｌ２，Ｌ３，Ｌ４がそれぞれ鈍角に折曲がり，副折り線Ｌ２，切込みｃ，副折り線Ｌ４および内面体１の上縁によって規定される矩形部分が外方（外側）に起立する。支持面体Ｐ３によって内側から支持されるので，上記矩形部分が内方（内側）に起立することはない。外方に起立する部分を突起部ａと呼ぶ。突起部ａは３本の副折り線Ｌ２，Ｌ３，Ｌ４のうちの真ん中の副折り線Ｌ３を頂上とする山型の形状をなす。
【００２９】
図２を参照して，外面体２も矩形状であり，その左斜め上方に矩形のロック窓ｂがあけられている。ロック窓ｂは突起部ａの横幅（横方向の長さ）よりもわずかに狭い横幅を持つ。ロック窓ｂの縦幅（高さ）は突起部ａの縦幅よりもわずかに長い。基本構成１では外面体２の全体がロック受けパネルＰ４である。
【００３０】
図４を参照して，外面体２を，そのロック窓ｂの位置と内面体１の突起部ａの位置を一致させるようにして内面体１の外側に配置する。外面体２のロック窓ｂを通して内面体１の突起部ａの一部が外面体２の外側に至る。
【００３１】
内面体１の突起部ａの上縁および下縁が外面体２のロック窓ｂの窓枠に係止されるので，この係止が解かれない限り，内面体１は係止されている向きに移動しない。突起部ａをロック窓ｂを通して内側に押込むと，突起部ａの上縁および下縁とロック窓ｂの窓枠との係止が解かれ，内面体１の移動が可能になる。このようにして，内面体１と外面体２との解除可能なロック機構が形成される。支持面体Ｐ３によって内側から支持されるので，突起部ａをロック窓ｂを通して押し込んだときに，突起部ａが内側に向けて起立してしまうことも防止される。
【００３２】
上述した突起部ａを形付ける３本の副折り線Ｌ２，Ｌ３，Ｌ４のうち，副折り線Ｌ４は必ずしも必要ではないが，突起部ａの形状をはっきりとした山型にするためには形成するのが好ましい。
【００３３】
ロック機構の基本構成２（図５および図６）
図５および図６は，図３および図４に対応するもので，ロック機構の基本構成の変形例（基本構成２と呼ぶ）を示している。
【００３４】
上述したロック機構の基本構成１では，支持パネルＰ１とロックパネルＰ２とがほぼ直角となるように，主折り線Ｌ１に沿って内面体１が垂直に折曲げられ（ほぼ９０度の折曲げ），さらに内面体１の内面側に突起部ａの内方への落込みを防止するための支持面体Ｐ３が配置されている（図４参照）。ロック機構の基本構成２では，支持パネルＰ１とロックパネルＰ２とがほぼ平行となるように，主折り線Ｌ１に沿って内面体１が折重ねられる（ほぼ 180度の折曲げ）。支持パネルＰ１が，上述したロック機構の基本構成１における支持面体Ｐ３と同様の機能（突起部ａの内方への落込み防止）を果たす。
【００３５】
内面体１の突起部ａを大きく（十分に）起立させるには，支持パネルＰ１とロックパネルＰとが約45度から 180度の角度をなすように主折り線Ｌ１に沿って内面体１を折曲げればよい。内面体１を主折り線Ｌ１に沿って完全に折重ねる（ 180度の折曲げ）ことで，突起部ａの立上がりは極大となる。いずれにしても，主折り線Ｌ１に沿って内面体１を折曲げれば，これに伴って自動的に突起部ａが外方に起立する。
【００３６】
ロック機構の基本構成３（図７〜図１０）
図７から図１０はロック機構のさらなる変形例を示すもので，図７は内面体１の展開図，図８は外面体の展開図，図９および図１０はロック機構の組立ての様子を示す斜視図である。上述したロック機構の基本構成１において示した折り線，パネル等と同様の機能を果たす折り線，パネル等には同一の符号を付している。このことは，後述する他の基本構成においても同様である。
【００３７】
図７を参照して，基本構成３では突起部ａが内面体１の中央部分に形成されている。すなわち，内面体１には間隔をあけて横向きに互いに平行に延びる２つの切込みＣ１，Ｃ２が入れられており，これらの切込みＣ１，Ｃ２の端部同士を結ぶようにして縦向きに副折り線Ｌ２，Ｌ４が入れられており，これらの切込みＣ１，Ｃ２および副折り線Ｌ２，Ｌ４によって突起部ａが規定されている。副折り線Ｌ２，Ｌ４の中間に縦方向に延びる副折り線Ｌ３が位置している。さらに，突起部ａ上を除いて，２本の主折り線Ｌ１が間隔をあけて縦向きに互いに平行に形成されている。すなわち，基本構成３では内面体１が２本の主折り線Ｌ１によって３つの領域に区分されている。中央の領域がロックパネルＰ２に相当し，ロックパネルＰ２の左右のそれぞれにつながる２つの領域が支持パネルＰ１に相当する。副折り線Ｌ２と副折り線Ｌ４は，主折り線Ｌ１から位置ずれして２つの支持パネルＰ１上に入れられている。
【００３８】
図８を参照して，外面体２には，そのほぼ中央に突起部ａに対応する大きさの矩形のロック窓ｂがあけられている。また，ロック窓ｂの縦方向に延びる２つの窓枠のそれぞれに沿って，外面体２上には縦方向に延びる折り線Ｌ５が入れられている。２本の折り線Ｌ５によって挟まれる外面体２の領域がロック受けパネルＰ４である。
【００３９】
図９を参照して，内面体１のロックパネルＰ２の内側に，ロックパネルＰ２に対して垂直に２つの支持面体Ｐ３が間隔をあけて配置される。支持面体Ｐ３を配置した後，内面体１を２本の主折り線Ｌ１のそれぞれに沿って内側にほぼ垂直に折曲げる。すると，３本の副折り線Ｌ２，Ｌ３，Ｌ４の位置で突起部ａが鈍角に折曲がり，副折り線Ｌ３を頂上にして外方に起立する。支持面体Ｐ３の端部によって内側から支持されるので，突起部ａが内方に起立することはない。
【００４０】
図１０を参照して，外面体２をそのロック窓ｂの位置と内面体１の突起部ａの位置を一致させて内面体１の外側に配置し，折り線Ｌ５に沿って内側に垂直に折曲げる。外面体２のロック窓ｂを通して内面体１の突起部ａの一部が外面体２の外側に至る。ロック機構が完成する。
【００４１】
ロック機構の基本構成４（図１１〜図１３）
図１１から図１３はロック機構のさらなる変形例を示すもので，図１１は内面体１の展開図を，図１２および図１３はロック機構の組立ての様子を示す斜視図である。基本構成１（図１〜図４）とは，内面体１の突起部ａが内面体１の中央に位置する点，突起部ａの上縁および下縁をそれぞれ規定する２本の切込みＣ１，Ｃ２が入れられている点が異なる。主折り線Ｌ１は突起部ａ上を除いて縦方向に入れられている。基本構成４においても，基本構成１と同様に，副折り線Ｌ４は必ずしも入れる必要はない。
【００４２】
図１２および図１３を参照して，主折り線Ｌ１に沿って内面体１を垂直に折曲げると，内面体１の突起部ａが外方に起立する。この突起部ａが外面体２のロック窓ｂに係合して内面体１と外面体２とがロックされる。基本構成４（基本構成３も同様）のように，２本の切込みＣ１，Ｃ２を用いて突起部ａの上縁および下縁を形成することによって，突起部ａをより強固に支持することができる。
【００４３】
ロック機構の基本構成５（図１４〜図１６）
図１４から図１６はロック機構のさらなる変形例を示すもので，図１４は内面体１の展開図を，図１５および図１６はロック機構の組立ての様子を示す斜視図である。
【００４４】
基本構成５の内面体１はその突起部ａの下方に開口（隙間）Ｈがあけられている点が，基本構成１における内面体１（図１）と異なる。開口Ｈによって，突起部ａの下縁が内面体１と接触せず，主折り線Ｌ１に沿って内面体１を折曲げたときに突起部ａがスムーズに起立する。突起部ａを押込んでロックを解除するときにも突起部ａの下縁が内面体１と接触しないので，ロック解除時の内面体１の変形も少なくすることができる。
【００４５】
突起部ａの下方に加えて，上方にも開口（隙間）をあけてもよいのは言うまでもない。
【００４６】
以下，上述した基本構成１〜５を利用したロック機構を有するスライド・カートン等を説明する。
【００４７】
第１実施例（図１７〜図２２）（箱状の内箱を持つスライド・カートン）
図１７から図２２は第１実施例のスライド・カートンを説明するものである。第１実施例のスライド・カートンは，直方体状の内箱10と角筒状の外箱30から構成される。図１７は内箱10の展開図である。図１８は外箱30の展開図である。図１９および図２０は組立て途中の内箱10を斜視的に示している。図２１は組立てが完成した内箱10および外箱30（スライド・カートン）の全体を斜視的に示している。図２２は外箱30から内箱10を引出している様子を示す斜視図である。スライド・カートンを構成する内箱10および外箱30は，いずれも厚紙，ボール紙，プラスチック・シート等のシート状素材を展開図（図１７，図１８）にしたがって切断し，後述する切込み（切れ目，ミシン目）を入れ，適所を折曲げかつ接着することによってつくられる。
【００４８】
内箱10の展開図（図１７）および外箱30の展開図（図１８）において，内箱10および外箱30を組立てるときに折曲げられる箇所（折り線）が一点鎖線によって示されている。
【００４９】
図１７を参照して，内箱10の展開図には糊代（または内側左側面部）11，正面部12，右側面部13，背面部14，左側面部15およびロックパネル16が，この順番で水平（横）方向に連続してつながっている。正面部12および背面部14はほぼ同一形状の縦長の矩形状の形状を持ち，組立てられると正面部12および背面部14が内箱10の互いに対向する正面および背面になる。糊代11，右側面部13および左側面部15はほぼ同一形状の縦長の矩形状の形状を持つ。糊代11，右側面部13および左側面部15の横幅（上縁および下縁の長さ）は正面部12および背面部14の横幅と比べて短い。糊代11と左側面部15は内箱10を組立てるときに左側面部15を外側にして重なり合わされ，内箱１の左側面を形成する。右側面部13が上記左側面に対向する内箱１の右側面となる。
【００５０】
正面部12の上端に外側前面部17が，背面部14の上端に内側前面部18が，それぞれつながっている。右側面部13の上端にフラップ13ａが，左側面部15の上端にフラップ15ａが，それぞれつながっている。外側前面部17と内側前面部18の形状はいずれも横長の矩形状で，外側前面部17の外形は内側前面部18よりも少し大きい。また，外側前面部17の両側端はいずれもわずかに側方に突出している。外側前面部17の両側端からわずかに突出する部分を翼部17ａと呼ぶ。外側前面部17と内側前面部18は内箱10を組立てるときに外側前面部17を外側にして重なり合わされ，内箱１の前面を形成する。フラップ13ａ，15ａは内側前面部18との接着に用いられる。
【００５１】
正面部12の下縁に外側後面部19が，背面部14の下縁に内側後面部20が，それぞれつながっている。また，右側面部13の下端にフラップ13ｂが，左側面部15の下端にフラップ15ｂが，それぞれつながっている。外側後面部19と内側後面部20の形状はいずれも横長の矩形状であり，外側後面部19の外形は内側後面部20よりも少し大きい。外側後面部19および内側後面部20は内箱10を組立てるときに外側後面部19を外側にして同一の位置で重なり合わされ，内箱１の後面を形成する。フラップ13ｂ，15ｂは内側後面部20との接着に用いられる。
【００５２】
上述した正面部12，背面部14，右側面部13，左側面部15，前面部17，18および後面部19，20によって内箱10内の内部空間がつくられる。内箱10の組立てについての詳細は後述する。
【００５３】
正面部12の上端部付近に内容物取出口12Ａがあけられている。内容物取出口12Ａは一辺が外方に向かってわずかに弧状に湾曲しており，残りの三辺は直線状で，全体としてほぼ矩形である。内容物取出口12Ａの弧状に湾曲した一辺と反対側の直線状の一辺が正面部12と糊代11の境界に沿っている。内箱10内に入れられた食料品等の内容物が，内容物取出口12Ａを通して内箱10の外に取り出される。
【００５４】
左側面部15につながるロックパネル16は，左側面部15の上縁に連続して右向きに水平に伸びる上端と，上端の右端から下方に伸び，内箱10の縦方向の長さ（たとえば正面部12と右側面部13の境界の長さ）の２／３程度の長さを持つ側端と，側端の下端から左側面部15の向きに向かって斜めに伸びる斜縁と，左側面部15の下縁に連続して水平に伸び上記斜縁の下端に至る下端によって，その外形が形成されている。ロックパネル16の側端の下部には，側方にわずかに突出する係止片16ｃが連続して形成されている。
【００５５】
ロックパネル16にはその上下方向のほぼ中央に横長の矩形の突起部（ロック部）21が形成されている。また，ロックパネル16には上記突起部21の上方にほぼ正方形の開口16Ａが，下方に台形状の開口16Ｂがそれぞれあけられている。開口16Ａの左縁および開口16Ｂの左縁は，いずれもロックパネル16と左側面部15の境界に位置している。開口16Ａの下縁および開口16Ｂの上縁が，それぞれ突起部21の上縁および下縁の一部を形成する。
【００５６】
ロックパネル16は，後述するように，内箱10が組立てられるときに正面部12の外側に覆い被せられる。突起部21の上方の開口16Ａは，ロックパネル16が正面部12上に覆い被せられたときに，正面部12にあけられた内容物取出口12Ａに対応する位置にくる箇所にあけられている。開口16Ａの形状は内容物取出口12Ａの形状と同じであっても異なっていてもよい。内容物取出口12Ａから外に出される内容物がロックパネル16の開口16Ａによって邪魔されることがないように，好ましくは開口16Ａは内容物取出口12Ａよりも大きく形成される。
【００５７】
突起部21の下方の開口16Ｂは突起部21の動きをスムーズにするためにあけられている。突起部21の動きについての詳細は後述する。
【００５８】
ロックパネル16にはまた，開口16Ａの下縁および開口16Ｂの上縁のそれぞれに連続して水平にのびる切込みｋ１，ｋ２が入れられている。また，左側面部15に，開口16Ａの下縁および開口16Ｂの上縁のそれぞれに連続して水平にわずかに伸びる切込みｋ３，ｋ４が入れられている。突起部21の上縁は，ロックパネル16に入れられた切込みｋ１，開口16Ａの下縁および左側面部15に入れられた切込みｋ３によって規定される。突起部21の下縁は，ロックパネル16に入れられた切込みｋ２，開口16Ｂの上縁および左側面部15に入れられた切込みｋ４によって規定される。
【００５９】
突起部21の上縁の左端（切込みｋ３の先端）および突起部21の下縁の左端（切込みｋ４の先端）は左側面部15上に位置している。突起部21の上縁の左端および突起部21の下縁の左端を結ぶようにして，左側面部15上に折り線ｍ２（破線で示す）が縦方向に形成されている。すなわち，折り線ｍ２は左側面部15上にあり，左側面部15とロックパネル16の境界（折り線）から側方に位置ずれした位置にある。
【００６０】
突起部21の上縁の右端（切込みｋ１の先端）および突起部21の下縁の右端（切込みｋ２の先端）はいずれもロックパネル16上に位置している。突起部21の上縁の右端および突起部21の下縁の右端を結ぶようにして，ロックパネル16上には折り線ｍ３が形成されている。折り線ｍ３は折り線ｍ２と平行である。左側面部15上の折り線ｍ２とロックパネル16上の折り線ｍ３のそれぞれが，突起部21の左右縁を規定する。
【００６１】
さらに，突起部21上の折り線ｍ２に近い位置に折り線ｍ１が形成されている。折り線ｍ１は折り線ｍ２，ｍ３の間にあり，かつ左側面部15とロックパネル16の境界（折り線）から側方に位置ずれしている。折り線ｍ１も折り線ｍ２，ｍ３と平行に延びている。
【００６２】
内箱10は次のようにして組立てられる。右側面部13の上下縁につながるフラップ13ａ，13ｂ，および左側面部15の上下縁につながるフラップ15ａ，15ｂをほぼ垂直に折曲げる。右側面部13および左側面部15をほぼ垂直に折曲げる。背面部14の上下縁につながる内側前面部18および内側後面部20を，フラップ13ａ，15ａ，13ｂ，15ｂを外側から覆うようにしてほぼ垂直に折曲げる。内側前面部18およびフラップ13ａ，15ａと，内側後面部20とフラップ13ｂ，15ｂとを接着剤等によって接着する。
【００６３】
正面部12の左縁につながる糊代11，および正面部12の上下縁につながる外側前面部17および外側後面部19をほぼ垂直に折曲げ，続いて正面部12を垂直に折曲げる。正面部12を折曲げるとき，外側前面部17および外側後面部19は，それぞれ内側前面部18および内側後面部20の外側に位置させる。糊代11は外側左側面部15の内側に位置させる。外側前面部17と内側前面部18，外側後面部19と内側後面部20，糊代11と外側左側面部15とを，それぞれ接着剤等によって接着する。これにより内箱10の内部空間が形成される（図１９参照）。内箱10の内部空間には正面部12にあけられた内容物取出口12Ａを通して内容物を入れてもよいし，正面部12を折曲げる前に，背面部14上に内容物を入れてもよい。もちろん，内箱10の前面を構成する外側前面部17，内側前面部18およびフラップ13ａ，15ａを一番最後に組立てる（接着する）ようにして，内箱10の前面開口から内箱10の内部空間に内容物を入れるようにしてもよい。
【００６４】
上述したように，左側面部15上に，突起部21の一端（折り線ｍ２）が位置している。糊代11と左側面部15との接着については，左側面部15上の突起部21の一部が糊代11と接着されないように行われる。
【００６５】
ロックパネル16を正面部12を外側から覆うようにしてほぼ垂直に折曲げる。すなわち，ロックパネル16は左側面部15との境界の折り線（基本構成１で説明した主折り線Ｌ１に相当する）でほぼ垂直に折曲げられる。すると，左側面部15上の折り線ｍ２，ロックパネル16上の折り線ｍ３，および２本の切り目ｍ２，ｍ３の間に位置する折り線ｍ１の３つの折り線が，鈍角に折り曲がって突起部21が正面部12上に起立し，折り線ｍ１を頂上にする山型の形状となって正面部12の外方に突出する。ロックパネル16の開口16Ａが正面部12にあけられた内容物取出口12Ａと連通する（図２０参照）。ロックパネル16から側方に突出する係止片16Ｃは，正面部12の右縁からわずかに側方に突出する。直方体状の内箱10が完成する。
【００６６】
図１８を参照して，外箱30は右側面部31，ほぼ矩形のロック窓32Ａがあけられた正面部32，左側面部33および背面部34がこの順番で水平（横）方向に連続してつながっている。背面部34の側縁に糊代35がつながっている。正面部32の上縁には係止補強片32ａがつながっている。右側面部31と正面部32との境界にはその中央部分に切込みｋ５が形成されている。
【００６７】
正面部32にあけられたロック窓32Ａは正面部32の上下方向のほぼ中央に位置しており，その左辺が正面部32と左側面部33の境界に位置している。ロック窓32Ａの高さ（上下方向の長さ）は，内箱１の突起部21の高さ（上下方向の長さ）よりもわずかに大きい。
【００６８】
外箱30は次のようにして組立てられる。左右側面部31，33をほぼ垂直に折曲げ，さらに背面部34および糊代35をほぼ垂直に折曲げ，右側面部31が外側となるようにして右側面部31に糊代35を接着する。正面部32の上縁につながる係止補強片32ａは内側に折返して（１８０度の折曲げ）正面部32の内面と接着する。内側に折曲げられた係止補強片32ａの上端は正面部32にあけられたロック窓32Ａの上縁とほぼ一致する位置にくる。正面部32と背面部34が互いに対向し，左右側面部31，33が互いに対向し，さらに前面および後面が開口する直方体状の外箱30が完成する。
【００６９】
外箱30の外形は内箱10の外形よりもわずかに大きい。内箱10の後面側が，外箱30の前面開口から外箱30内に押し入れられる。内箱10が外箱30内に押し入れられているとき，突起部21の頂上の折り線ｍ１は外箱30によってわずかに下方に押さえつけられる。
【００７０】
内箱10を外箱30内に押し入れ続けると，内箱10の前面を構成する外側前面部17の両側端からわずかに側方に突出する翼部17ａが，外箱30の前端縁に当接する。内箱10のさらなる押し入れが翼部17ａによって阻止され，前面開口から外箱30内に押し入れられた内箱10が後面開口を通って外箱30の外に再び出てしまうことはない。内箱10が外箱30内に完全に押し入れられた状態において，内箱10の内容物取出口12Ａおよび開口16Ａは外箱30の正面部32によって覆われて閉じられる。
【００７１】
内箱10が外箱30内に完全に押し入れられると，突起部21が外箱30の正面部32にあけられたロック窓32Ａの位置に達する。すると，外箱30による押さえつけがなくなるので，突起部21の頂上（折り線ｍ１）がロック窓32Ａを超えてロック窓32Ａの外にわずかに突出する。突起部21の前端縁の一部がロック窓32Ａの上縁によって係止されかつ係止補強片32ａの上端によっても係止される。この係止が解かれない限り，内箱10は前方に移動することはない。同様に，突起部21の後端縁の一部がロック窓32Ａの下縁によって係止される。この係止が解かれない限り，内箱10は後方にも移動することはない（図２１）。もっとも，外箱30に完全に入れられた内箱10の後方への移動は，上述したように，内箱10の外側前面部17の両側端から側方に突出する翼部17ａによっても阻止される。
【００７２】
内箱10を外箱30内に押し入れる途中，内箱10のロックパネル16の側端から突出する係止片16ｃが外箱30の切込みｋ５内に入り込み，切込みｋ５を通してわずかに外箱30の外にわずかに突出する。係止片16ｃおよび切込みｋ５は，内箱10の前方移動を移動途中で制限するように機能する。
【００７３】
ロック窓32Ａからわずかに出ている突起部21を指で下方（内方）に押し込むと，ロック窓32Ａの上縁および係止補強片32ａの上端と，突起部21とによる係止が解かれ，内箱10の前方移動が可能な状態になる。突起部21を押し込みつつ前方に押すと，内箱10は前方にスライド移動して外箱30の前方開口から次第に外に出る。突起部21を前方に押し続けると，内箱10の内容物取出口12Ａおよび開口16Ａが外箱２の前方から完全に外に出る。内容物取出口12Ａおよび開口16Ａを通して内箱10内の内容物が取り出される（図２２）。ロックパネル16（突起部21）の下方（内方）には内箱10の正面部12が存在するので，正面部12によって突起部21の下方（内方）への押込みの程度が制限され，突起部21が内方に向けて突出した状態となってしまうことはない。
【００７４】
内箱10の前方に移動しつづけると，切込みｋ５を通して外箱30の外に突出している係止片16ｃが切込みｋ５の上端に当接し，ここで内箱10の前方への移動が止まる。内箱10の外箱30からの脱落が防止される。
【００７５】
上述した第１実施例のスライド・カートンは，ロックパネル16が垂直（９０度）に折曲げられる点において基本構成１（図１〜図４）に相当し，内箱10の左側面部15が基本構成１における支持パネルＰ１に，ロックパネル16がロックパネルＰ２にそれぞれ相当する。突起部21の上縁および下縁が切込みｋ１〜ｋ４によって規定される点において基本構成４（図１１〜図１３）にも相当する。また，突起部21の上方および下方に開口16Ａ，16Ｂがあけられている点においては基本構成５（図１４〜図１６）にも相当する。また，上述したように，ロックパネル16と左側面部15との間の境界の折り線が主折り線Ｌ１に相当する。折り線ｍ１〜ｍ３が副折り線Ｌ２〜Ｌ４に相当する。さらに，内箱10の正面部12が支持面体（突起部落込み防止部材）Ｐ３に相当する。外箱30の正面部32がロック受けパネルＰ４に相当する。
【００７６】
組立てが完成した外箱30内に組立てが完成した内箱10を押し入れるのに代えて，ラップラウンド方式によってスライド・カートンを組み立てることもできる。たとえば，図17を参照して，内箱10については，糊代11に糊をつけた後，正面部12と右側面部15の間の折り目を折り，さらに背面部14と左側面部15の間の折り目を折り，左側面部15に糊代11を接着することで，つぶれた（ひしゃげた）状態の内箱10をつくる。その後，製函機を用いてつぶれた状態の内箱10の左右側面部13，15を起こし，フラップ13ｂ，15ｂを折曲げ，さらに後面部19，20を折曲げかつ接着して後面を閉じる。開口している前面から内箱10内に内容物を入れた後，フラップ13ａ，15ａを折曲げ，さらに前面部17，18を折曲げかつ接着して前面を閉じる。次に，展開状態の外箱30（ブランク）を用意して糊代35に糊をつけ，内箱10の正面部12と外箱30の正面部32の位置合わせを行い，前面部および後面部を除く内箱10の周囲を包み込むようにして，ラップラウンド方式によって，外箱30を折り目の位置で折り曲げ，外箱30の糊代35を外箱30の右側面部31に接着する。ラップラウンド方式によって外箱30を組み立てるときに内箱10のロックパネル16も同時に折り曲げられ，上述したように，ロックパネル16の折曲げに応じて突起部21が自動的に立ち上がり，外箱30のロック窓33Ａ内を通して外に出る。外箱30の組立て，スライド・カートンの組立て，および内箱10の突起部21の起立を同時進行で行うことができる。ラップラウンド方式による組立て例については，後述する他の実施例において詳細に説明する。
【００７７】
図２３および図２４は箱状内箱の変形例を示すもので，内箱10Ａの斜視図である。図２３および図２４において内容物取出口12Ａの図示および翼部17ａの図示は省略されている。
【００７８】
図２３および図２４に示すように，内箱10Ａでは，左側面部15の側縁につながるロックパネル16が 180度折曲げられ，内箱10Ａの正面部12上ではなく左側面部15上に重合わせられる。ロックパネル16の突起部21は左側面部15上に起立する。内箱10Ａとともに用いられる外箱は，上記突起部21の位置に相当する面部（左側面部）にロック窓があけられたものが用いられるのは言うまでもない。図２３および図２４に示す内箱10Ａは，ロックパネル16が 180度折曲げられる点において上述した基本構成２（図５および図６）に相当し，突起部21の上縁および下縁が切込みｋ１〜ｋ４によって規定される点において基本構成４（図１１〜図１３）に相当する。
【００７９】
図２５および図２６は箱状内箱の他の変形例を示すもので，内箱10Ｂの斜視図である。図２５および図２６においても内容物取出口12Ａの図示および翼部17ａの図示は省略されている。図２５を参照して，内箱10Ｂでは，ロックパネル16のほぼ中央に突起部21の範囲を除いて縦方向に折り線ｍ４が形成されている。折り線ｍ４においてロックパネル16を 180度折曲げ，折り線ｍ４からロックパネル16の側縁に至る範囲を，折り線ｍ４から左側面部15に至る範囲に折重ねる。図２６に示すように，内箱10Ｂの正面部12上に折り線ｍ１を頂上とする突起部21が起立する。すなわち，ロックパネル16上の折り線ｍ４が主折り線Ｌ１に相当している。図２５および図２６に示す内箱10Ｂも，ロックパネル16が 180度折曲げられる点において基本構成２（図５および図６）に相当し，突起部21の上縁および下縁が切込みｋ１〜ｋ４によって規定される点において基本構成４（図１１〜図１３）に相当する。
【００８０】
図２７および図２８は箱状内箱のさらに他の変形例を示すもので，内箱10Ｃの斜視図である。図２７および図２８においても内容物取出口12Ａの図示および翼部17ａの図示は省略されている。図２７を参照して，ロックパネル16は正面部12の側縁につながっており，正面部12との間の境界（主折り線）において 180度折曲げられ，正面部12上に重ね合わさられる。図２８を参照して，内箱10Ｃの正面部12上に折り線ｍ１を頂上する突起部21が起立する。図２７および図２８に示す内箱10Ｃも，ロックパネル16が 180度折曲げられる点において基本構成２（図５および図６）に相当し，突起部21の上縁および下縁が切込みｋ１〜ｋ４によって規定される点において基本構成４（図１１〜図１３）に相当する。
【００８１】
図２９および図３０は箱状内箱のさらに他の変形例を示すもので，それぞれ六角柱状の内箱10Ｄおよび円筒状の内箱10Ｅの斜視図である。図２９および図３０に示すように，内箱の形状は，直方体以外の多角柱状であってもよいし，円筒状ないし楕円筒状であってもよい。
【００８２】
第２実施例（図３１〜図３４）（箱状の内箱を持つスライド・カートン）
図３１〜図３４は第２実施例のスライド・カートンを示すもので，このスライド・カートンは直方体状の内箱10Ｆと角筒状の外箱30Ｆから構成される。図３１は内箱10Ｆの展開図である。図３２は外箱30Ｆの展開図である。図３３および図３４は組立てが完成した内箱10Ｆおよび外箱30Ｆの斜視図である。第１実施例の内箱10および外箱30（図１７〜図２２）と同一の面部，折り線等には同一符号を付し，重複説明を避ける。このことは他の実施例も同様である。
【００８３】
内箱10Ｆには，第１実施例の内箱10の正面部12にあけられている内容物取出口12Ａ（たとえば，図１９を参照）はあけられていない。内箱10Ｆには，その糊代11，正面部12，左側面部15および右側面部13の上側の位置に，ミシン目（割け目）11Ａ，12Ａ，13Ａ，15Ａが横方向に入れられ，このミシン目11Ａ，12Ａ，13Ａ，15Ａの位置で糊代11，正面部12，左側面部15および右側面部13を裂くことで内箱10Ｆを開口させ，そこから内容物が内箱10Ｆの外に取出される（図３４）。背面部14には内箱10Ｆを開口させるときに折曲げられる箇所に折り線が横方向に入れられている。
【００８４】
ロックパネル16が左側面部15の側縁に連続して形成されている。間隔をあけて互いに平行に延びる切込みｋ１およびｋ３と，ｋ２およびｋ４によって突起部21の上縁および下縁がそれぞれ規定される。間隔をあけて互いに平行に縦方向に延びる２つの折り線ｍ２，ｍ３によって突起部21の両端縁が規定される。２つの折り線ｍ２，ｍ３の間に，折り線ｍ２，ｍ３と平行に折り線ｍ１が入れられている。折り線ｍ２は左側面部15上に位置し，折り線ｍ１，ｍ３はロックパネル16上に位置する。折り線ｍ２は左側面部15とロックパネル16の境界の折り線（主折り目）の近くにあるが，わずかに位置ずれして形成されている。
【００８５】
図３２を参照して，外箱30Ｆは，その左側面部33にロック窓33Ａがあけられている。外箱30Ｆを構成する各面部の上縁から下縁までの長さが，内箱10Ｆを構成する各面部の上縁から下縁までの長さよりも短い点が，第１実施例の外箱30と異なっている。
【００８６】
図３３を参照して，正面部12，背面部14，左側面部15，右側面部13，前面部17および後面部19で構成される直方体状の内箱10Ｆが組立てられる。ロックパネル16は左側面部15との境界（主折り線）で 180度折曲げられる。折り線ｍ１を頂上とする突起部21が左側面部15上に起立する。内箱10Ｆをその後面部19側から外箱30Ｆの前面開口から押し入れる。内箱10Ｆのロックパネル16の突起部21が，外箱30Ｆのロック窓33Ａから外方に突出し，これにより外箱30Ｆに内箱10Ｆがロックされる。
【００８７】
図３４を参照して，ロック窓33Ａを通して突起部21を指で押してロックを解除し，その状態で外箱30Ｆを下方（後面側）に押し下げる。内箱10Ｆがスライド移動して次第に外箱30Ｆの前面開口か外に出る。ミシン目11Ａ，12Ａ，13Ａ，15Ａにおいて内箱10Ｆの糊代11，正面部12，左側面部15および右側面部13が裂かれることで内箱10Ｆが開口する。
【００８８】
第２実施例のスライド・カートンは，ロックパネル16が 180度折曲げられる点において，基本構成２（図５および図６）に相当する。突起部21の上縁および下縁が切込みｋ１〜ｋ４によって規定される点において基本構成４（図１１〜図１３）にも相当する。
【００８９】
第３実施例（図３５〜図３８）（トレー状内箱を持つスライド・カートン）
図３５から図３８はスライド・カートンの第３実施例を示すもので，図３５は内箱10Ｇの展開図を，図３６は外箱30Ｇの展開図をそれぞれ示す。図３７は組立てが完成したスライド・カートン（内箱10Ｇおよび外箱30Ｇ）を示す斜視図である。図３８は外箱30Ｇから内箱10Ｇを引き出している様子を示す斜視図である。
【００９０】
第３実施例のスライド・カートンは，その内箱10Ｇが正面部12を持たない。背面部14に左側面部15，右側面部13，前面部18ａ〜18ｄ，および後面部20がつながっている。
【００９１】
前面部は，横向きに延びる折り線によって四つの領域に区分けされており，背面部14の上端に４つの前面部18ａ〜18ｄが連続している。前面部18ａ，18ｃの上端および下端の間の間隔は等しく，これよりも短い間隔を持つ前面部18ｂ，18ｄの上端および下端の間の間隔も等しい。図３５および図３８を参照して，背面部14と前面部18ａの境界の折り線で前面部18ａを垂直に山折りし，前面部18ａと前面部18ｂの境界の折り線で前面部18ｂを垂直に山折りし，前面部18ｂと前面部18ｃの境界の折り線で前面部18ｃを垂直に山折りし，最後に前面部18ｃと前面部18ｄの間の境界の折り線で前面部18ｄを垂直に谷折りする。前面部18ａが内箱10Ｇの前面部を構成する。先端の前面部18ｄが背面部14に接着されて固定される。
【００９２】
左側面部15にはその上端にフラップ15ａがつながるとともに，上端部分において側方にもフラップ15ｃがつながっている。右側面部13も同様で，その上端にフラップ13ａがつながるとともに，上端部分における側方にもフラップ13ｃがつながっている。
【００９３】
背面部14の左右の側縁につながる左側面部15および右側面部13がそれぞれ垂直に折曲げられる。左側面部15の側方にロックパネル16がつながっており，左側面部15をほぼ垂直に折曲げた後，左側面部15との境界の折り線においてロックパネル16を 180度折曲げて左側面部15に重ね合わせる。折り線ｍ１を頂上とする突起部21が左側面部15上に起立する。ロックパネル16の折り線ｍ３よりも側方に延びる部分はさらに垂直に折曲げられて背面部14に沿わされる（図３７参照）。
【００９４】
図３６を参照して，外箱30Ｇは，その後面を閉じるタイプのもので，正面部32の下縁に後面部38がつながり，後面部38の下縁にさらにフラップ39がつながっている。正面部32と後面部38の境界において後面部38は垂直に折曲げられる。また，フラップ39は後面部38との境界において垂直に折曲げられて，背面部34の内側に沿わせられる。
【００９５】
また，正面部32の上縁および背面部34の上縁には，内箱10Ｇの端部を掴みやすくするために，円弧状の凹み32ｃ，34ｃが形成されている。
【００９６】
外箱30Ｇの左側面部33にロック窓33Ａがあけられている。外箱30Ｇ内に内箱10Ｇが入れられると，内箱10Ｇの左側面部15上に位置する突起部21がロック窓33Ａから突出し，これにより内箱10Ｇが外箱30Ｇにロックされる。突起部21を指で押込んだ状態で内箱10Ｇの前端部を掴んで前方に引き出す。内箱10Ｇが前方にスライド移動し，外箱30Ｇの前方開口から外に出る。
【００９７】
第３実施例のスライド・カートンは，ロックパネル16が 180度折曲げられる点において，基本構成２（図５および図６）に相当する。
【００９８】
第４実施例（図３９〜図４２）（外箱にロック窓があけられていないスライド・カートン）
図３９から図４２は第４実施例のスライド・カートンを示すもので，図３９は内箱10Ｈの展開図を，図４０は外箱30Ｈの展開図をそれぞれ示す。図４１は外箱30Ｈ内に内箱10Ｈを挿入している様子を示す斜視図である。図４２は組立てが完成したスライド・カートン（内箱10Ｈおよび外箱30Ｈ）を示す斜視図である。
【００９９】
上述した第１〜第３実施例のスライド・カートンは，外箱にロック窓があけられ，ロック窓にロックパネル16の突起部21の上縁および下縁がそれぞれ係合して内箱の前後方向の動きが阻止される。第４実施例のスライド・カートンでは，外箱30Ｈにロック窓はあけられていず，突起部21の縁部は外箱30Ｈの縁部に係合する。
【０１００】
図３９から図４２を参照して，内箱10Ｈを組立てるとき，左側面部15とロックパネル16の境界の折り線（主折り線）でロックパネル16を垂直に折曲げる（90度の折曲げ）と，折り線ｍ１を頂上とする突起部21が正面部12上に起立する。図４０および図４１を参照して，外箱30Ｈはその高さ（上縁と下縁との間の長さ）が内箱10Ｈの高さの半分程度である。内箱10Ｈの前面側が外箱30Ｈの下面開口から外箱30内に押し入れられる。内箱10Ｈを外箱30Ｈ内に押し入れ続けると，突起部21の前端が外箱30Ｈの正面部32の下端に当接する。内箱10Ｈの前方移動がロックされる。
【０１０１】
外箱30Ｈから内箱10Ｈを引き出す（押し出す）場合，突起部21を下方に押し込んだ状態で内箱10Ｈを前方にスライド移動させる（図２２を参照）。内箱10Ｈが前方にスライド移動することで内箱10Ｈの内容物取出し口12Ａが現れる。内箱10Ｈの前方へのスライド移動は，外箱30Ｈの係止補強片32ａ（図４０および図４２参照）の縁が内箱10Ｈのロックパネル16の縁に当接することで止まる。
【０１０２】
第４実施例のスライド・カートンは，ロックパネル16が 180度の折曲げられる点において，基本構成２（図５および図６）に相当する。
【０１０３】
第５実施例（図４３〜図４６）（内箱が袋（筒）状であり，外箱がかぶせ蓋であるスライド・カートン）
図４３から図４６は第５実施例のスライド・カートンを示すもので，図４３は内箱10Ｉの展開図を，図４４は外箱（外蓋）30Ｉの展開図をそれぞれ示す。図４５は内箱10Ｉおよび外箱30Ｉを示す斜視図である。図４６は外箱30Ｉ内に内箱10Ｉを収納した状態を示す斜視図である。
【０１０４】
第５実施例において内箱10Ｉは両側面部を持たず，正面部12と背面部14とが連続している。正面部12の側縁に糊代11が連続し，背面部14の側縁上部にロックパネル16が連続している。正面部12の下縁には内側後面部19が，背面部14の下縁には外側後面部20がつながっている。内側後面部19および外側後面部20は横長の楕円状の形状を持つ。内側後面部19の下縁にさらに弧状の差込み片19ａが連続している。背面部14と外側後面部20の間の境界に上記差込み片19ａが差込まれる切込みｋ６が形成されている。
【０１０５】
正面部12と背面部14の境界を 180度に近い角度で折曲げる。内側後面部19および外側後面部20はほぼ垂直に折曲げる。糊代11を背面部14に接着し，かつ内側後面部19の差込み片19ａを背面部14と外側後面部20の間の切込みｋ６に差込む。内側後面部19および外側後面部20によって内箱10Ｉの後面部が形成される。内側後面部19および外側後面部20は内箱10Ｉの内部に向けて滑らかに凹む湾曲面となる。図４５を参照して，背面部14とロックパネル16の境界の折り線（主折り線）において，正面部12上にロックパネル16を折重ねる（ほぼ 180度の折曲げ）。前面が開口し，折り線ｍ１を頂上とする突起部21を備えた袋状の内箱10Ｉが完成する。
【０１０６】
図４４を参照して，外箱30Ｉも側面部を持たず，横方向に連続する正面部32および背面部34を有し，正面部32の側方に糊代35が連続している。正面部32および背面部34の上縁に，横長の楕円状の形状を持つ内側前面部36および外側前面部37がつながっている。内側前面部36の上縁に弧状の差込み片36ａが連続している。背面部34と外側前面部37の間の境界に上記差込み片36ａが差込まれる切込みｋ７が形成されている。正面部32上に矩形のロック窓32Ａがあけられている。
【０１０７】
正面部32と背面部34の境界を 180度に近い角度で折曲げ，内側前面部36および外側前面部37をほぼ垂直に折曲げる。糊代35を背面部34に接着し，かつ内側前面部36の差込み片36ａを背面部34と外側前面部37の間の切込みｋ７に差込む。内側前面部36および外側前面部37によって外箱30Ｉの前面部が形成される。内側前面部36および外側前面部37は外箱30Ｉの内部に向けて滑らかに凹む湾曲面となる。後面が開口する袋状の外箱（外蓋）30Ｉが完成する。
【０１０８】
内箱10Ｉの開口する前方部分が，外箱30Ｉの後部開口から押し入れられる。内箱10Ｉを外箱30Ｉ内に押し入れ続けると，ロックパネル16の突起部21が外箱30Ｉにあけられたロック窓32Ａから外に突出し，内箱10Ｉと外箱30Ｉとがロックされる（図４６）。ロック窓32Ａを通して指で突起部21を押下しつつ，外箱30Ｉを前方に引っ張ると，外箱30Ｉが内箱10Ｉから外される。
【０１０９】
第５実施例のスライド・カートンは，ロックパネル16が 180度折曲げられる点において，基本構成２（図５および図６）に相当する。
【０１１０】
第６実施例（図４７〜図５０）（ＰＴＰホルダパッケージと外帯を含むもの）
図４７から図５０は第６実施例を示すもので，図４７はＰＴＰ（Press Through Package ）ホルダ・パッケージ10Ｊの展開図であり，図４８は外帯30Ｊの展開図である。図４９はＰＴＰホルダ・パッケージ10Ｊと外帯30Ｊの斜視図であり，図５０はＰＴＰホルダ・パッケージ10Ｊに外帯30Ｊをかけた様子を示す斜視図である。
【０１１１】
ＰＴＰホルダ・パッケージ10Ｊは，その展開図において左右対称の形状を持つ。中央に左側面部15が位置し，その両側にそれぞれ正面部12および背面部14が連続している。正面部12の側縁（図４７において右側縁）に第１の右側面部13Ａが，背面部14の側縁（図４７において左側縁）に第２の右側面部13Ｂがつながっている。第１，第２右側面部13Ａ，13Ｂのさらに側方に，ＰＴＰホルダ26，27が連続している。
【０１１２】
突起部21は左側面部15の上下方向のほぼ中央に形成されている。横方向に互いに平行に延びる切込みｋ１〜ｋ４と，切込みの両端のそれぞれを縦方向に結ぶ折り線ｍ２，ｍ３によって突起部21の外形が規定される。２つの折り線ｍ２，ｍ３はそれぞれ背面部14，正面部12上に位置する。これらの２つの折り線ｍ２，ｍ３の中間に折り線ｍ１が形成されている。
【０１１３】
ＰＴＰホルダ26には３行３列に合計９つの楕円形の薬剤保持孔26ａが形成されている。ＰＴＰホルダ27にも３行３列に合計９つの楕円形の薬剤保持孔27ａが形成されている。薬剤保持孔26ａ，27ａにはたとえば透明プラスチックよりなる薬剤収容部（図示略）が突出して設けられ，この薬剤収容部内に薬剤（錠剤）が収納される。
【０１１４】
ＰＴＰホルダ26，27の間の折り線に沿って外側に位置するＰＴＰホルダ27を内側に位置するＰＴＰホルダ26に折重ねる。第１，第２の右側面部13Ａ，13ＢにつながるＰＴＰホルダ26を，これらの間の折り線に沿って垂直に折曲げる。さらに第１の右側面部13Ａと正面部12の間の折り線，第２の右側面部13Ｂと背面部14の間の折り線に沿って，第１，第２の右側面部13Ａ，13Ｂを垂直に折曲げる。最後に，左側面部15の左右の折り線（主折り線）に沿って正面部12および背面部14を垂直に折曲げる。方形のＰＴＰホルダ・パッケージ10Ｊが形成される。左側面部15上に折り線ｍ１を頂上とする突起部21が起立する（図４９参照）。
【０１１５】
外帯30Ｊの展開図（図４８）では，その中央に左側面部33が位置し，その両側に正面部32および背面部34が連続する。正面部32の側縁に右側面部31が，背面部34の側縁に糊代35がつながっている。外帯30Ｊの高さ（たとえば，正面部32の上縁と下縁の長さ）はＰＴＰホルダ・パッケージ10Ｊの高さよりも短い（たとえば，１／３程度）。左側面部33のほぼ中央に矩形のロック窓33Ａがあけられている。
【０１１６】
ＰＴＰホルダ・パッケージ10Ｊの前面部（後面部でもよい）が外帯30Ｊの後部開口（前部開口）から外帯30Ｊ内に押入れられる。ＰＴＰホルダ・パッケージ10Ｊを外帯30Ｊ内に押し入れ続けると，ロックパネル16の突起部21が外帯30Ｊにあけられたロック窓33Ａから外に突出し，ＰＴＰホルダ・パッケージ10Ｊと外帯30Ｊとがロックされる（図５０）。折重ねられたＰＴＰホルダ46，47は外帯30Ｊによってその周囲から押さえつけられるので，広がってしまうことがない。ロック窓33Ａを通して指で突起部21を押下しつつ，外帯30Ｊを前方または後方に引っ張ると，ＰＴＰホルダ・パッケージ10Ｊから外帯30Ｊが外される。
【０１１７】
第６実施例は，ロックパネル16の両側に主折り線があるので基本構成３（図７〜図１０）に相当する。ロックパネル16の上縁および下縁が切込みｋ１〜ｋ４によって規定される点において基本構成４（図１１〜図１４）にも相当する。
【０１１８】
第７実施例（図５１から図５７）（ラップラウンド方式による組立て）
図５１から図５７は第７実施例のスライド・カートンを示すもので，図５１は内箱10Ｋの展開図，図５２は外箱30Ｋの展開図，図５３から図５７は組立て途中の内箱10Ｋおよび外箱30Ｋを示す斜視図である。第７実施例では，組立てられた外箱に組立てられた内箱を挿入するのではなく，組立て前または組立て途中の内箱を，組立て前の外箱によって包込みながら，内箱および外箱を同時に組立る組立て方法（ラップラウンド方式）を説明する。
【０１１９】
図５１および図５３を参照して，内箱10Ｋはトレー状のものである。第３実施例（図３５〜図３８）の内箱10Ｇとは，後面部20の下縁に背面部14よりも長さの短い正面部12が連続しており，この正面部12の右側縁にロックパネル16が連続して形成されている点，正面部12の左側縁に補強片28が連続して形成されている点が異なる。
【０１２０】
図５２を参照して，外箱30Ｋは，正面部32の下縁に後面部38およびフラップ39がつながっていない点が，図３６に示す第３実施例の外箱30Ｇと異なる。
【０１２１】
図５３を参照して，前面部18ａ〜18ｄは第３実施例と同様にして折曲げられる。左右の側面部13，14を垂直に折曲げ，後面部20を垂直に折曲げ，後面部20につながる正面部12をさらに垂直に折曲げる。正面部12によって内箱10Ｋの内部空間の一部が覆われる。
【０１２２】
図５４を参照して，途中まで組立てられた内箱10Ｋの上方（正面部12の外側）に，展開状態の外箱30Ｋが配置される。図５５から図５７を参照して内箱10Ｋの背面部14と外箱30の正面部32とが同一の位置となるように位置合わせが行われた後，内箱10Ｋをその外側から包込むようにして，外箱30Ｋの組立てが行われる。
【０１２３】
図５６および図５７を参照して，外箱30Ｋの左側面部33を垂直に折曲げると，左側面部33によって内箱10Ｋのロックパネル16が押され，同時に内箱10Ｋの正面部12とロックパネル16の間の境界（主折り線）においてロックパネル16も垂直に折曲がる。これによりロックパネル16の突起部21が起立し，外箱30Ｋの左側面部33にあけられたロック窓33Ａを通して外に出る。外箱30Ｋの糊代35を垂直に折曲げると，内箱10Ｋのロックパネル16の側縁につながる先端片29も同時に垂直に折曲がる。外箱30Ｋの糊代35を外箱30Ｋの背面部34に接着することによって外箱30Ｋの組立てが完成する。同時に内箱10Ｋの組立ても完成する。外箱30Ｋの組立て，内箱10Ｋの組立て，および内箱10Ｋの突起部21の起立を同時進行で行うことができる。
【０１２４】
第７実施例のスライド・カートンは，２本の主折り線（内箱10Ｋの正面部12とロックパネル16の間の境界，およびロックパネル16と先端片29の間の境界）によって突起部21の両側が規定される点において，ロック機構の基本構成３（図７〜図１０）に対応する。
【０１２５】
第８実施例（図５８から図６５）（ラップラウンド方式による組立て）
図５８から図６５に示す第８実施例も，ラップラウンド方式によって内箱10Ｌと外箱30Ｌとを同時に組立てる組立て方法を説明するものである。
【０１２６】
図５８を参照して，内箱10Ｌはその背面部14の側縁にロックパネル16が連続する。ロックパネル16は，突起部21の下方に開口16Ｂがあけられているタイプのものである。
【０１２７】
ロックパネル16の下方の開口16Ｂに向けてわずかに突出するようにして，背面部14の側縁に係止片14ａが連続して設けられている。後述するように，係止片14ａは外箱30Ｌのロック窓34Ａに係合して，内箱10Ｌの外箱30Ｌからの脱落を防止するために設けられている。
【０１２８】
図５９を参照して，外箱30Ｌではその背面部34から左側面部33の一部にかけて，ロック窓34Ａがあけられている。すなわち，ロック窓34Ａの一側縁が左側面部33上に位置している。
【０１２９】
図６０を参照して，ロックパネル16を除いて内箱10Ｌを組立て，その上方に展開状態の外箱30Ｌを配置する。内箱10Ｌの正面部12と外箱30Ｌの正面部32の位置合わせが行われる。
【０１３０】
図６１を参照して，外箱30Ｌの正面部32と左側面部33の間の折り線において左側面部33を垂直に折曲げると，内箱10Ｌのロックパネル16も同時に折曲げられる。ロックパネル16の突起部21が，外箱30Ｌの背面部34にあけられたロック窓34Ａを通して外に出る。図６２を参照して，外箱30Ｌの左側面部33と背面部34の間の折り線において背面部34をさらに垂直に折曲げる。内箱10Ｌのロックパネル16は内箱10Ｌの背面部14上に折り重ねられる（１180度の折曲げ）。
【０１３１】
図６３は，第８実施例のスライド・カートンの一部をその背面側から見た斜視図である。外箱30Ｌの背面部34にあけられたロック窓34Ａに内箱10Ｌのロックパネル16の突起部21が係合し，外箱30Ｌに対する内箱10Ｌの前後方向の移動がロックされる。
【０１３２】
図６４は第８実施例のスライド・カートンの全体をその背面側から見た斜視図である。上述した係止片14ａが，内箱10Ｌの背面部14の側縁から側方（左側面方向）に突出している。
【０１３３】
図６５は外箱30Ｌから内箱10Ｌを途中まで引出し，かつ内箱10Ｌの前部を開口させた状態を，背面側から示す斜視図である。上述した内箱10Ｌの係止片14ａは，外箱30Ｌのロック窓34Ａに係合し，これにより内箱10の前方への移動（引出し）が止まる。ロック窓34Ａが外箱30Ｌの背面部34のみならず左側面部33にわたってあけられているので，内箱10Ｌの左側面部15Ａから側方に突出する係止片14ａを，確実に外箱30Ｌのロック窓34Ａに係合させることができる。
【０１３４】
第８実施例のスライドカートンは，ロックパネル16が 180度折曲げられる点において，基本構成２（図５および図６）に相当する。また，突起部21の下縁に開口16Ｂが形成されている点において基本構成５（図１４〜図１６）にも相当する。
【符号の説明】
【０１３５】
Ｐ１  支持パネル
Ｐ２  ロックパネル
Ｐ３  支持面体（突起部落込み防止部材）
Ｐ４  ロック受けパネル
Ｌ１  主折り線
Ｌ２，Ｌ３，Ｌ４  副折り線
Ｃ，Ｃ１，Ｃ２  切込み
Ｈ  開口
ａ  突起部
ｂ  ロック窓
10，10Ａ，10Ｂ，10Ｃ，10Ｄ，10Ｅ，10Ｆ，10Ｇ，10Ｈ，10Ｉ，10Ｋ,10Ｌ  内箱
10Ｊ  ＰＴＰホルダ・パッケージ
12  内箱の正面部
13  内箱の右側面部
14  内箱の背面部
15  内箱の左側面部
16  ロックパネル
14ａ，16ｃ  係止片
21  突起部
30，30Ｇ，30Ｈ，30Ｉ，30Ｋ，30Ｌ  外箱
30Ｊ  外帯
31  外箱の右側面部
32  外箱の正面部
33  外箱の左側面部
34  外箱の右側面部
32Ａ，33Ａ，34Ａ  ロック窓
ｋ１，ｋ２，ｋ３，ｋ４，ｋ５  切込み
ｍ１，ｍ２，ｍ３  折り線
【図１】
0005708000.tif 000002
【図２】
0005708000.tif 000003
【図３】
0005708000.tif 000004
【図４】
0005708000.tif 000005
【図５】
0005708000.tif 000006
【図６】
0005708000.tif 000007
【図７】
0005708000.tif 000008
【図８】
0005708000.tif 000009
【図９】
0005708000.tif 000010
【図１０】
0005708000.tif 000011
【図１１】
0005708000.tif 000012
【図１２】
0005708000.tif 000013
【図１３】
0005708000.tif 000014
【図１４】
0005708000.tif 000015
【図１５】
0005708000.tif 000016
【図１６】
0005708000.tif 000017
【図１７】
0005708000.tif 000018
【図１８】
0005708000.tif 000019
【図１９】
0005708000.tif 000020
【図２０】
0005708000.tif 000021
【図２１】
0005708000.tif 000022
【図２２】
0005708000.tif 000023
【図２３】
0005708000.tif 000024
【図２４】
0005708000.tif 000025
【図２５】
0005708000.tif 000026
【図２６】
0005708000.tif 000027
【図２７】
0005708000.tif 000028
【図２８】
0005708000.tif 000029
【図２９】
0005708000.tif 000030
【図３０】
0005708000.tif 000031
【図３１】
0005708000.tif 000032
【図３２】
0005708000.tif 000033
【図３３】
0005708000.tif 000034
【図３４】
0005708000.tif 000035
【図３５】
0005708000.tif 000036
【図３６】
0005708000.tif 000037
【図３７】
0005708000.tif 000038
【図３８】
0005708000.tif 000039
【図３９】
0005708000.tif 000040
【図４０】
0005708000.tif 000041
【図４１】
0005708000.tif 000042
【図４２】
0005708000.tif 000043
【図４３】
0005708000.tif 000044
【図４４】
0005708000.tif 000045
【図４５】
0005708000.tif 000046
【図４６】
0005708000.tif 000047
【図４７】
0005708000.tif 000048
【図４８】
0005708000.tif 000049
【図４９】
0005708000.tif 000050
【図５０】
0005708000.tif 000051
【図５１】
0005708000.tif 000052
【図５２】
0005708000.tif 000053
【図５３】
0005708000.tif 000054
【図５４】
0005708000.tif 000055
【図５５】
0005708000.tif 000056
【図５６】
0005708000.tif 000057
【図５７】
0005708000.tif 000058
【図５８】
0005708000.tif 000059
【図５９】
0005708000.tif 000060
【図６０】
0005708000.tif 000061
【図６１】
0005708000.tif 000062
【図６２】
0005708000.tif 000063
【図６３】
0005708000.tif 000064
【図６４】
0005708000.tif 000065
【図６５】
0005708000.tif 000066